(57)【要約】      （修正有）【課題】分別回収が容易な取り外し可能な傘のろくろ構造を提供する。【解決手段】ろくろ構造は、主傘骨１、副傘骨２、中棒３及び動作可能に中棒に覆設されるろくろ４を含み、主傘骨の端部は中棒にヒンジ接続され、副傘骨の一端は主傘骨にヒンジ接続され、副傘骨とろくろは掛接部材６と掛接溝７を含む接続機構によって取り外し可能に接続され、中棒にはＵ型係接管５からなる位置規制機構が設けられ、ろくろが中棒に沿って上向きに主傘骨まで移動し、これを持ち上げようとする場合、位置規制機構はろくろの上方移動の継続を阻止可能であり、位置規制機構による位置規制が解除されると、ろくろは中棒に沿って上方移動を継続し、接続機構が自動的に解錠される。接続機構と位置規制機構を設けることで、着脱過程が容易且つスピーディーとなり、時間と労力が削減される。【選択図】図１
0003215684.tif 000002
【実用新案登録請求の範囲】
【請求項１】
主傘骨（１）、副傘骨（２）、中棒（３）及び動作可能に中棒（３）に覆設されるろくろ（４）を含み、前記主傘骨（１）の端部は中棒（３）にヒンジ接続され、副傘骨（２）の一端は主傘骨（１）にヒンジ接続され、副傘骨（２）とろくろ（４）の間には接続機構が設けられ、前記副傘骨（２）とろくろ（４）は接続機構によって取り外し可能に接続され、中棒（３）には位置規制機構が設けられ、ろくろ（４）が中棒（３）に沿って上向きに主傘骨（１）まで移動し、これを持ち上げようとする場合、前記位置規制機構はろくろ（４）の上方移動の継続を阻止可能であり、位置規制機構による位置規制が解除されると、ろくろ（４）は中棒（３）に沿って上方移動を継続し、前記接続機構が自動的に解錠されることを特徴とする取り外し可能な傘のろくろ構造。
【請求項２】
前記位置規制機構は、取り外し可能に中棒（３）に接続される覆設管であることを特徴とする請求項１記載の取り外し可能な傘のろくろ構造。
【請求項３】
前記覆設管はＵ型係接管（５）であることを特徴とする請求項２記載の取り外し可能な傘のろくろ構造。
【請求項４】
前記接続機構は、副傘骨（２）に設けられる掛接部材（６）と、ろくろ（４）に設けられた開口下向きの掛接溝（７）を含み、前記掛接部材（６）は、取り外し可能な接続を実現するよう掛接溝（７）に掛入可能であり、位置規制機構による位置規制が解除されると、ろくろ（４）が中棒（３）に沿って上方に移動することで、前記掛接部材（６）は掛接溝（７）から下方に離脱可能となることを特徴とする請求項１記載の取り外し可能な傘のろくろ構造。
【請求項５】
前記ろくろ（４）と掛接溝（７）は一体的に成型されることを特徴とする請求項４記載の取り外し可能な傘のろくろ構造。
【請求項６】
更に、動作可能に中棒（３）に覆設された中ろくろ（８）、及び中ろくろ（８）とろくろ（４）の間に設けられたバネ（９）を含み、副傘骨（２）の他端は中ろくろ（８）にヒンジ接続され、前記掛接部材（６）と副傘骨（２）がヒンジ接続されることを特徴とする請求項４記載の取り外し可能な傘のろくろ構造。
【請求項７】
掛接部材（６）は、Ｕ型の掛接部材（６）であることを特徴とする請求項６記載の取り外し可能な傘のろくろ構造。
【請求項８】
更に、中棒（３）に覆設される中継部材（１０）を含み、前記中継部材（１０）は中ろくろ（８）とバネ（９）の間に設けられることを特徴とする請求項６記載の取り外し可能な傘のろくろ構造。
【請求項９】
前記中継部材（１０）は、プラスチック材質からなることを特徴とする請求項８記載の取り外し可能な傘のろくろ構造。
【考案の詳細な説明】
【技術分野】
【０００１】
本考案は傘の技術分野に関し、特に、取り外し可能な傘のろくろ構造に関する。
【背景技術】
【０００２】
傘は風雨を遮るための日用品として生活の至る所で散見される。傘は、一般的に、主傘骨、副傘骨、中棒及び動作可能に中棒に覆設されるろくろから構成される。傘を開く際には、ろくろが中棒に沿って上方に移動し、ろくろに接続される副傘骨によって主傘骨を持ち上げることで、傘生地を開くように複数本の主傘骨が開放される。従来技術では、一般的に結束紐や金属部材を用いて副傘骨とろくろを結束し、ヒンジ接続を実現している。しかし、このような構造の場合にはユーザ自身で解体することが難しく、傘の廃棄時にはプラスチック材質からなるろくろと金属材質からなる傘骨、中棒を一括して同じゴミ箱に投入することになる。結果、ゴミの分別回収を実現しにくく、環境理念からかけ離れてしまう。
【考案の概要】
【考案が解決しようとする課題】
【０００３】
従来技術の瑕疵を解消すべく、本考案は、構造が合理的で巧みに設計されており、着脱が容易な取り外し可能な傘のろくろ構造を提供する。
【課題を解決するための手段】
【０００４】
本考案では、技術的課題を解決するために以下の技術方案を用いる。
【０００５】
取り外し可能な傘のろくろ構造であって、主傘骨、副傘骨、中棒及び動作可能に中棒に覆設されるろくろを含み、前記主傘骨の端部は中棒にヒンジ接続され、副傘骨の一端は主傘骨にヒンジ接続され、副傘骨とろくろの間には接続機構が設けられ、前記副傘骨とろくろは接続機構によって取り外し可能に接続され、中棒には位置規制機構が設けられ、ろくろが中棒に沿って上向きに主傘骨まで移動し、これを持ち上げようとする場合、前記位置規制機構はろくろの上方移動の継続を阻止可能であり、位置規制機構による位置規制が解除されると、ろくろは中棒に沿って上方移動を継続し、前記接続機構が自動的に解錠される。
【０００６】
好ましくは、前記位置規制機構は取り外し可能に中棒に接続される覆設管である。
【０００７】
好ましくは、前記覆設管はＵ型係接管である。
【０００８】
好ましくは、前記接続機構は、副傘骨に設けられる掛接部材と、ろくろに設けられる開口下向きの掛接溝を含み、前記掛接部材は、取り外し可能な接続を実現するよう掛接溝に掛入可能であり、位置規制機構による位置規制が解除されると、ろくろが中棒に沿って上方に移動することで、前記掛接部材は掛接溝から下方に離脱可能となる。
【０００９】
好ましくは、前記ろくろと掛接溝は一体的に成型される。
【００１０】
好ましくは、更に、動作可能に中棒に覆設された中ろくろ、及び中ろくろとろくろの間に設けられたバネを含み、副傘骨の他端は中ろくろにヒンジ接続され、前記掛接部材（６）と副傘骨（２）がヒンジ接続される。
【００１１】
好ましくは、掛接部材はＵ型の掛接部材である。
【００１２】
好ましくは、更に、中棒に覆設される中継部材を含み、前記中継部材は中ろくろとバネの間に設けられる。
【００１３】
好ましくは、前記中継部材はプラスチック材質からなる。
【考案の効果】
【００１４】
本考案は、次の有益な効果を有する。即ち、接続機構と位置規制機構を設け、接続機構によって副傘骨とろくろを取り外し可能に接続している。傘の正常使用時には、主傘骨が開放された状態でろくろが中棒に沿って上方移動を継続することのないよう、位置規制機構により阻止可能となっている。副傘骨とろくろは接続機構を介して接続されているが、解体を要する場合には、位置規制機構による位置規制を解除してから、中棒に沿ってろくろの上方移動を継続させれば、前記接続機構が自動的に解錠されて、副傘骨とろくろが分離する。上記の解体過程は容易且つスピーディーなことから、時間と労力が削減され、ゴミの分別という環境理念の実践が容易となる。
【００１５】
以下に、図面と実施例を組み合わせて本考案につき更に詳細に説明する。
【図面の簡単な説明】
【００１６】
【図１】図１は、本考案の一実施例の構造を示す図である。
【図２】図２は、本考案の一実施例の構造を部分的に示す図である。
【図３】図３は、本考案におけるＵ型係接管の構造を示す図である。
【考案を実施するための形態】
【００１７】
図１及び図２を参照して、図示するように、取り外し可能な傘のろくろ構造は、主傘骨１、副傘骨２、中棒３及び動作可能に中棒３に覆設されるろくろ４を含む。前記主傘骨１の端部は中棒３にヒンジ接続されており、副傘骨２の一端は主傘骨１にヒンジ接続されている。副傘骨２とろくろ４の間には接続機構が設けられており、前記副傘骨２とろくろ４は接続機構によって取り外し可能に接続されている。中棒３には位置規制機構が設けられている。ろくろ４が中棒３に沿って上向きに主傘骨１まで移動し、これを持ち上げようとする場合、前記位置規制機構はろくろ４の上方移動の継続を阻止可能である。位置規制機構による位置規制が解除されると、ろくろ４は中棒３に沿って上方移動を継続し、前記接続機構が自動的に解錠される。
【００１８】
本考案では接続機構と位置規制機構を設けており、接続機構によって副傘骨２とろくろ４が取り外し可能に接続されている。傘の正常使用時には、主傘骨１が開放された状態でろくろ４が中棒３に沿って上方移動を継続することのないよう、位置規制機構により阻止可能となっている。副傘骨２とろくろ４は接続機構を介して接続されているが、解体を要する場合には、位置規制機構による位置規制を解除してから、中棒３に沿ってろくろ４の上方移動を継続させれば、前記接続機構が自動的に解錠されて、副傘骨２とろくろ４が分離する。上記の解体過程は容易且つスピーディーなことから、時間と労力が削減され、ゴミの分別という環境理念の実践が容易となる。
【００１９】
前記位置規制機構は取り外し可能に中棒３に接続される覆設管であり、図３に示すように、好ましくはＵ型係接管５とする。覆設管の材質としては、プラスチック、金属又はその他のものが可能である。装着時には、中棒３でＵ型係接管５を押圧することでＵ型係接管５が変形し、中棒３に係接される。これにより、傘の使用時にろくろ４の上方への移動位置が規制される。また、取り外す際には、Ｕ型係接管５が受ける外力がＵ型係接管５と中棒３との係接力を超えた場合に、Ｕ型係接管５が開口において中棒３から離脱する。
【００２０】
このほか、Ｕ型係接管５の外表面には複数のノッチ１１が凹陥するよう形成されている。これにより、Ｕ型係接管５が軽量化し、コストダウンがなされるほか、Ｕ型係接管５の表面摩擦を上昇させられるため、Ｕ型係接管５を中棒３から取り外しやすくなる。
【００２１】
位置規制機構はボルト・ナット構造としてもよく、ボルトを挿入することで位置規制を実現し、ボルトを取り外すことで位置規制を解除するよう、ボルトと組み合わされる貫通孔を中棒３に設けてもよい。なお、いうまでもなく、前記位置規制機構は従来技術における他の既存の方式としてもよく、上記実施形態に限らない。
【００２２】
前記接続機構は、副傘骨２に設けられる掛接部材６と、ろくろ４に設けられる開口下向きの掛接溝７を含む。前記掛接部材６は、取り外し可能な接続を実現するよう掛接溝７に掛入可能である。位置規制機構による位置規制が解除されると、ろくろ４が中棒３に沿って上方に移動することで、前記掛接部材６は掛接溝７から下方に離脱可能となる。
【００２３】
具体的には、手動傘の場合、掛接部材６は副傘骨２に一体成型されている。取り外し時には、Ｕ型係接管５を取り外してからろくろ４を上方に移動させれば、掛接部材６が掛接溝７から離脱する。一方、ジャンプ傘の場合には、中棒３に覆設された中ろくろ８、及び中ろくろ８とろくろ４の間に設けられたバネ９を更に含む。副傘骨２の他端は中ろくろ８にヒンジ接続されており、前記掛接部材６と副傘骨２がヒンジ接続されている。具体的な解体過程は手動傘と同様のため、ここでは繰り返し述べない。
【００２４】
図２に示すように、掛接部材６はＵ型の掛接部材６であり、鋼線を湾曲して形成してもよいし、プレス成型等の方式で作製してもよい。掛接溝７は、ろくろ４の上端周縁に設けられた開口下向きのフック構造である。掛接溝７はろくろ４と一体的に成型されており、傘の開閉時に掛接溝７と掛接部材６との掛合及び接続を実現する。
【００２５】
また、同じく金属材質からなる中ろくろ８とバネ９が中棒３に沿って移動する過程で摩耗したり異音を生じたりすることのないよう、本実施例は、中棒３に覆設される中継部材１０を更に含む。前記中継部材１０は中ろくろ８とバネ９の間に設けられており、中継部材１０の上端が中ろくろ８に組み合わされるとともに、下端がバネ９に組み合わされる。なお、前記中継部材１０の材質はプラスチックとすることが好ましい。
【００２６】
以上、本考案の好ましい実施例について具体的に説明したが、いうまでもなく、本考案は上記実施形態とは別の形式を用いることも可能である。当業者が本考案の主旨を逸脱することなく実施する等価の変更又は相応の変動は、いずれも本考案の保護の範囲に属する。
【図１】
0003215684.tif 000003
【図２】
0003215684.tif 000004
【図３】
0003215684.tif 000005